(57)【要約】【課題】  軟質袋の形状を特殊にすることなく、軟質袋の内容液を最後まで全て抜ききること。【解決手段】  軟質袋１００の液注出装置１０であって、袋１００を載置する受台１２と、受台１２に回転可能に支持され、受台１２に載置された袋１００のスパウト１０１を差し込み保持可能にするスパウトホルダ２０を有してなるもの。【選択図】  図１
2007091248.tif 000002
【特許請求の範囲】
【請求項１】
袋を載置する受台と、
受台に回転可能に支持され、受台に載置された袋のスパウトを差し込み保持可能にするスパウトホルダを有してなる軟質袋の液注出装置。
【請求項２】
前記スパウトホルダを回転操作する回転ハンドルを有してなる請求項１に記載の軟質袋の液注出装置。
【請求項３】
前記袋を受台に保持する袋保持手段を有してなる請求項１又は２に記載の軟質袋の液注出装置。
【請求項４】
前記袋を受台との間に挟み、袋のスパウトに対する反対側からスパウト側に向けて転圧し、袋の内容液を絞り出す絞り出しローラを有してなる請求項１〜３のいずれかに記載の軟質袋の液注出装置。
【請求項５】
前記受台に設けられ、絞り出しローラが袋に加える絞り出し力に対して袋を制止する袋制止手段を有してなる請求項４に記載の軟質袋の液注出装置。
【発明の詳細な説明】
【技術分野】
【０００１】
本発明はバッグインボックス用軟質袋等の軟質袋の液注出装置に関する。
【背景技術】
【０００２】
バッグインボックス用軟質袋の液注出装置として、特許文献１〜３に記載のものがある。
特許文献１の液注出装置は、バッグインボックスの外箱をＬ字状固定治具の底板上に載置し、袋に設けられているスパウトを外箱の側板開口から外方に突出させ、このスパウトをＬ字状固定治具の側板に設けてある切欠状保持部に差し込み保持し、袋の内容液を開栓されたスパウトから排出可能にするものである。
【０００３】
特許文献２の液注出装置は、液体が充填された袋を外箱内に収納し、外箱から突出する袋のスパウトから液体を注出させるバッグインボックスにおいて、外箱の底部内面上にバッグ受板を設け、このバッグ受板の下面に弾発体を設けてなり、袋内に液体が満たされているときは弾発体に抗してバッグ受板が平坦状におかれ、注出による液体の減少に伴って弾発体の弾発力により袋のスパウト側を支点として袋の後部側を上方へ押し上げるようバック受板が前傾姿勢におかれるようにしたものである。
【０００４】
特許文献３の液注出装置は、バッグインボックスの袋のシール部より突出させた耳縁部に吊り下げ用孔を設け、吊り下げた袋のスパウトを袋の下部に位置させることにより、袋の内容液を最後まで全て注ぎ出させるものである。
【特許文献１】実開平6-49328
【特許文献２】特開2000-281133
【特許文献３】特開平9-323740
【発明の開示】
【発明が解決しようとする課題】
【０００５】
特許文献１の液注出装置では、外箱が載置されるＬ字状固定治具の底板よりも上位にスパウトを位置させる。従って、スパウトより下位の内容液は袋内に残り、袋の内容液を最後まで全て抜ききれない。
【０００６】
特許文献２の液注出装置では、バッグ受板の前傾により袋の内容液を最後まで全て抜ききることに困難がある。
【０００７】
特許文献３の液注出装置では、袋に吊り下げ用孔を設ける特殊加工を必要とし、コスト高になる。
【０００８】
本発明の課題は、軟質袋の形状を特殊にすることなく、軟質袋の内容液を最後まで全て抜ききることにある。
【課題を解決するための手段】
【０００９】
請求項１の発明は、袋を載置する受台と、受台に回転可能に支持され、受台に載置された袋のスパウトを差し込み保持可能にするスパウトホルダを有してなる軟質袋の液注出装置である。
【発明を実施するための最良の形態】
【００１０】
本発明の液注出装置１０は、バッグインボックスの外箱から取出した軟質袋１００の内容液を注出するものである。バッグインボックスは、飲料、洗剤等の内容液を充填したプラスチック製の可撓軟質袋１００を段ボール箱等の外箱に挿入してなるものである。軟質袋１００は、前縁側上面に液注出口としてのスパウト１０１を備え、スパウト１０１にキャップ１０２を着脱可能にする。
【００１１】
液注出装置１０は、図１に示す如く、架台１１の上部にテーブル状受台１２を設け、この受台１２に軟質袋１００を平置き状にて載置可能にする。架台１１の脚１３はキャスタ１４を備える。
【００１２】
液注出装置１０は、スパウトホルダ２０を有する。スパウトホルダ２０は、図１に示す如く、受台１２の前縁側に回転可能に支持された回転軸２１に固定されたＬ字板２２からなり、Ｌ字板２２の先端板２３に半円（Ｕ字でも可）切欠状保持部２３Ａを設ける。受台１２に載置された軟質袋１００の前縁部を起立状態（図２）にあるＬ字板２２内に差し入れ、該軟質袋１００のスパウト１０１が備える外周環状溝１０１Ａを、Ｌ字板２２の切欠状保持部２３Ａに差し込み保持可能にする。
【００１３】
スパウトホルダ２０は、図２に示す如く、Ｌ字板２２の先端板２３に左右のピン２４を立て、両ピン２４にスイングアーム２５を揺動自在に支持し、両スイングアーム２５の先端部に抜け止めローラ２６を枢支し、両スイングアーム２５に引張りばね２７を架け渡し、両抜け止めローラ２６を互いに引き寄せてそれら抜け止めローラ２６に挟み込み力を付与する。軟質袋１００を受台１２上にて前方へ滑らし、軟質袋１００のスパウト１０１の外周環状溝１０１ＡをＬ字板２２の切欠状保持部２３Ａに差し込み保持するとき、軟質袋１００のスパウト１０１において外周環状溝１０１Ａの直下部に位置するネック部１０１Ｂにより左右の抜け止めローラ２６を押し開き、該ネック部１０１Ｂを左右の抜け止めローラ２６内に押し入れた後、両抜け止めローラ２６の挟み込み力によりそれら抜け止めローラ２６をネック部１０１Ｂの外周に当て、スパウト１０１をスパウトホルダ２０に対し抜け止めする。
【００１４】
液注出装置１０は、スパウトホルダ２０の回転軸２１にギヤ列２８を介して回転ハンドル２９を設ける。回転ハンドル２９は、回転軸２１に固定したギヤ２８Ａと、回転ハンドル２９に固定したギヤ２８Ｂの噛み合いを介して、スパウトホルダ２０を起立状態（図２、図６）から任意の回転角度だけ回転し、軟質袋１００のスパウト１０１を適宜の下向き角度位置（図７）に位置付ける。
【００１５】
尚、スパウトホルダ２０は、図３に示す如く、Ｌ字板２２の両端部２２Ａ、２２Ｂを左右に延長し、軟質袋１００の前縁部の全長をＬ字板２２内に差し入れ可能にするように、軟質袋１００の前縁部の全長をＬ字板２２によりカバーしても良い。この場合、軟質袋１００の反転時の該軟質袋１００の姿勢を制御することができるため、軟質袋１００が前のめりになることを防止できる。
【００１６】
液注出装置１０は、袋保持兼絞り出しローラ３０（袋保持手段）を有する。絞り出しローラ３０は、図４に示す如く、架台１１に支持される駆動シリンダ３１のピストンロッド３２に設けた支持体３３に回転可能に支持されている。絞り出しローラ３０は、受台１２に載置された軟質袋１００の後縁シール部から、該軟質袋１００を受台１２との間に挟み込み、軟質袋１００を受台１２に保持可能にする。また、絞り出しローラ３０は、駆動シリンダ３１により軟質袋１００の前縁側に向けて該軟質袋１００上を転動し、軟質袋１００のスパウト１０１に対する反対側（後縁シール部の側）からスパウト１０１の側（前縁部の側）に向けて転圧し、軟質袋１００の内容液を絞り出し可能にする（図６〜図８）。
【００１７】
液注出装置１は、受台１２の上面内に設けられ、絞り出しローラ３０が軟質袋１００に加える絞り出し力に対して軟質袋１００を制止する袋制止板４０（袋制止手段）を有する。袋制止板４０は、図５に示す如く、受台１２の上面内に内蔵される圧縮ばね４１によりバックアップされる状態で、受台１２の上面内に格納可能にされ、圧縮ばね４１の弾発力に基づく上向き傾動習性を付与され、絞り出しローラ３０による絞り出し力を付与された軟質袋１００を上向き傾斜状態で制止可能にする。尚、絞り出しローラ３０が袋制止板４０の上を通過するとき、袋制止板４０は受台１２の上面内に押し込み格納される。
【００１８】
従って、液注出装置１０による液注出動作は以下の如くになされる。
(1)軟質袋１００を受台１２に載置し、軟質袋１００を受台１２上にて前方へ滑らし、軟質袋１００の前縁部を起立状態にあるＬ字板２２内に差し入れ、軟質袋１００のスパウト１０１の外周環状溝１０１ＡをＬ字板２２の切欠状保持部２３Ａに差し込み保持するとともに、該スパウト１０１のネック部１０１Ｂを左右の抜け止めローラ２６内に挟み込んで抜け止めする（図６）。
【００１９】
(2)絞り出しローラ３０の駆動シリンダ３１を作動し、絞り出しローラ３０により上述(1)の軟質袋１００の後縁シール部を受台１２との間に挟み込み保持する（図６）。袋制止板４０は上向き傾斜状態で軟質袋１００の前方ずれ移動を制止する。
【００２０】
(3)回転ハンドル２９によるスパウトホルダ２０の回転操作により、スパウトホルダ２０を起立状態から任意の回転角度だけ回転し、軟質袋１００のスパウト１０１を最大鉛直下向きまで、任意の下向き角度位置に位置付ける（図７）。スパウト１０１からキャップ１０２を外し、軟質袋１００の内容液をスパウト１０１から注出先容器類に注出開始する。尚、キャップ１０２は回転操作前に外しても良い。
【００２１】
このとき、注出先容器類は計量秤の上に載置し、定量注出時に、スパウトホルダ２０を起立位置に戻して注出終了とすることもできる。
【００２２】
(4)駆動シリンダ３１により絞り出しローラ３０を前進させ、絞り出しローラ３０により軟質袋１００を後縁シール部の側から前縁部の側に向けて転圧し、軟質袋１００の内容液を絞り出す（図７）。絞り出しローラ３０が袋制止板４０の上を通過したとき、袋制止板４０は受台１２の上面内に押し込み格納される。
【００２３】
(5)絞り出しローラ３０が前進端に達したとき（図８）、絞り出しローラ３０で転圧できない軟質袋１００の前縁側部分は下向きろうと状をなし、内容液を最後まで自重により注出させて抜き取り可能にする。
【００２４】
尚、液注出装置１０は、図９に示す如く、受台１２に載置された軟質袋１００のスパウト１０１をスパウトホルダ２０により前述(1)の如くに保持した状態で、スパウト１０１に挿入される手動ポンプ等のポンプ５０により軟質袋１００の内容液を注出先容器類５１等に注出させても良い。注出先容器類５１は計量秤５２の上に載置され、定量注出できる。
【００２５】
本実施例によれば以下の作用効果を奏する。
（請求項１の作用効果）
(a)受台１２に設けたスパウトホルダ２０に、該受台１２に載置した軟質袋１００のスパウト１０１を差し込み保持した後、スパウトホルダ２０を回転させることにより、袋１００のスパウト１０１を適宜の下向き角度位置に位置付けることができる。これにより、袋１００の形状を特殊にすることなく、袋１００の内容液を最後まで全て抜ききることができる。スパウト１０１の下向き角度の調整により、内容液の注出流量を調整できる。
【００２６】
（請求項２の作用効果）
(b)回転ハンドル２９によりスパウトホルダ２０を安定的に回転操作でき、スパウト１０１の下向き角度の調整も容易になる。
【００２７】
（請求項３の作用効果）
(c)袋保持兼絞り出しローラ３０により袋１００を受台１２に保持し、スパウトホルダ２０の回転によって袋１００のスパウト１０１を下向きにさせるときにも、袋１００を受台１２上でずれ移動させることなく安定維持できる。
【００２８】
（請求項４の作用効果）
(d)絞り出しローラ３０により袋１００の高粘度の内容液もスムースに絞り出しできる。絞り出しローラ３０の前進速度（絞り出し速度）の設定により、内容液の注出流量を調整できる。
【００２９】
（請求項５の作用効果）
(e)絞り出しローラ３０が袋１００に加える絞り出し力に対して袋１００を制止する袋制止板４０を設けたから、袋１００を受台１２上でずれ移動させることなく安定維持し、絞り出しローラ３０により袋１００の内容液を安定的に絞り出しできる。
【図面の簡単な説明】
【００３０】
【図１】図１は液注出装置を示す斜視図である。
【図２】図２はスパウトホルダを示し、（Ａ）は側面図、（Ｂ）は要部平面図である。
【図３】図３はスパウトホルダの変形例を示す斜視図である。
【図４】図４は絞り出しローラを示す背面図である。
【図５】図５は袋制止手段を一部破断して示す斜視図である。
【図６】図６は液注出装置への袋セット状態を示す側面図である。
【図７】図７は液注出装置の液注出中間状態を示す側面図である。
【図８】図８は液注出装置の液注出最終状態を示す側面図である。
【図９】図９は液注出装置のポンプによる液注出状態を示す側面図である。
【符号の説明】
【００３１】
１０  液注出装置
１２  受台
２０  スパウトホルダ
２９  回転ハンドル
３０  袋保持兼絞り出しローラ（袋保持手段）
４０  袋制止板（袋制止手段）
１００  袋
１０１  スパウト
【図１】
2007091248.tif 000003
【図２】
2007091248.tif 000004
【図３】
2007091248.tif 000005
【図４】
2007091248.tif 000006
【図５】
2007091248.tif 000007
【図６】
2007091248.tif 000008
【図７】
2007091248.tif 000009
【図８】
2007091248.tif 000010
【図９】
2007091248.tif 000011